(57)【特許請求の範囲】
【請求項１】
（ａ）下記一般式（１）の化合物、（ｂ）下記一般式（２）の化合物、（ｃ）下記一般式（３）の化合物、及び（ｄ）界面活性剤を含有し、且つ（ａ）＋（ｂ）＋（ｃ）＝０．１〜５０重量％、（ａ）／［（ａ）＋（ｂ）＋（ｃ）］＝０．５〜０．９９、（ｂ）／［（ａ）＋（ｂ）＋（ｃ）］＝０．００５〜０．２５、及び（ｃ）／［（ａ）＋（ｂ）＋（ｃ）］＝０．００５〜０．２５（何れも重量比）である液体洗浄剤。
【化１】
0003759345.tif 000012
（式中、Ｒは炭素数１〜１６の炭化水素基を示し、Ｘ及びＹは同一又は異なって水酸基、ＯＲ基を示し、Ｚ及びＷは同一又は異なって水酸基、
【化２】
0003759345.tif 000013
を示す。但し、Ｚ及びＷの何れか一方は水酸基である。）
【請求項２】
更に、（ｄ）／［（ａ）＋（ｂ）＋（ｃ）］＝１．２〜１０（重量比）である請求項１記載の液体洗浄剤。
【請求項３】
一般式（１）、（２）及び（３）中のＲが、炭素数４〜１０のアルキル基である請求項１又は２記載の液体洗浄剤。
【請求項４】
塗布洗浄に用いられる請求項１乃至３記載の液体洗浄剤。
【発明の詳細な説明】
【０００１】
【発明の属する技術分野】
本発明は液体洗浄剤に関する。
【０００２】
【従来技術】
一般家庭で使用される液体洗浄剤としては、金属、ガラス、セラミック、プラスチック等を対象とした硬質表面用洗浄剤や衣類の汚れに対して直接塗布できる衣料用洗浄剤を挙げることができる。これら洗浄剤には洗浄効果を高めるために、例えばメチルセルソルブやメチルカルビトール等の溶剤が配合されている。しかしながら、これらの溶剤を配合した液体洗浄剤は、衿・袖口汚れ等の頑固な皮脂汚れや、台所回りの変性油汚れ等に対する洗浄力や溶剤に由来する匂いの点で、未だ満足の行くものではなかった。
【０００３】
一方、特表平７―５００８６１号公報には、非イオン性界面活性剤としてアルキルモノグリセリルエーテル及びアルキルジグリセリルエーテルの混合物、並びに陰イオン性界面活性剤を含有する洗剤組成物が、また、米国特許４４３０２３７号公報には、非イオン性界面活性剤としてアルキルグリセリルエーテル、アルキルジグリセリルエーテル及びアルキルトリグリセリルエーテルの混合物からなる洗浄剤組成物が記載されている。しかしながら、これら組成物は、モノ体に対するジ体以上の含有量が高い為、皮脂汚れ等に対する洗浄力の点で、やはり未だ満足の行くものではなかった。
【０００４】
【解決しようとする課題】
本発明の課題は、衿・袖口汚れ等の頑固な皮脂汚れや、台所回りの変性油汚れ等に対する洗浄力に優れ、しかも洗浄剤としての匂いの良好な液体洗浄剤を提供することにある。
【０００５】
【課題を解決するための手段】
本発明は、（ａ）下記一般式（１）の化合物、（ｂ）下記一般式（２）の化合物、（ｃ）下記一般式（３）の化合物、及び（ｄ）界面活性剤を含有し、且つ（ａ）＋（ｂ）＋（ｃ）＝０．１〜５０重量％、（ａ）／［（ａ）＋（ｂ）＋（ｃ）］＝０．５〜０．９９、（ｂ）／［（ａ）＋（ｂ）＋（ｃ）］＝０．００５〜０．２５、及び（ｃ）／［（ａ）＋（ｂ）＋（ｃ）］＝０．００５〜０．２５（何れも重量比）である液体洗浄剤に関するものである。
【０００６】
【化３】
0003759345.tif 000002
（式中、Ｒは炭素数１〜１６の炭化水素基を示し、Ｘ及びＹは同一又は異なって水酸基、ＯＲ基を示し、Ｚ及びＷは同一又は異なって水酸基、
【化４】
0003759345.tif 000003
を示す。但し、Ｚ及びＷの何れか一方は水酸基である。）
【０００７】
【発明の実施の形態】
（ａ）〜（ｃ） グリセリルエーテル系化合物
本発明における（ａ）成分、（ｂ）成分及び（ｃ）成分としては、それぞれ下記一般式（１）、（２）及び（３）で表される化合物を用いることができる。
【０００８】
【化５】
0003759345.tif 000004
（式中、Ｒは炭素数１〜１６の炭化水素基を示し、Ｘ及びＹは同一又は異なって水酸基、ＯＲ基を示し、Ｚ及びＷは同一又は異なって水酸基、
【化６】
0003759345.tif 000005
を示す。但し、Ｚ及びＷの何れか一方は水酸基である。）
【０００９】
ここで、Ｒは、洗浄力の向上の点で、炭素数３〜１２、特に４〜１０の炭化水素基が好ましい。特に、塗布洗浄に用いられる場合、衿・袖口等の皮脂汚れに対する洗浄性能の点で、Ｒは炭素数７〜９、特に８のアルキル基が好ましい。また、硬質表面用洗浄剤として用いられる場合には、Ｒは炭素数４〜６のアルキル基が好ましい。Ｘ、Ｙ及びＺは、水酸基が好ましい。また、Ｗは、
【化７】
0003759345.tif 000006
が好ましい。
具体的には、それぞれ以下の化合物（４）〜（９）を挙げることができる。
【００１０】
【化８】
0003759345.tif 000007
【００１１】
（式中、Ｒは炭素数８のアルキル基を示す。）
中でも（４）、（５）、（６）及び（７）の化合物が好ましく、特に塗布洗浄における洗浄性能の点で、（４）及び（５）の化合物が好ましい。
【００１２】
本発明における（ａ）成分、（ｂ）成分及び（ｃ）成分の合計量（（ａ）＋（ｂ）＋（ｃ））は、洗浄力及び匂いの点で、液体洗浄剤中０．１〜５０重量％、好ましくは０．５〜２０重量％、より好ましくは１〜１５重量％である。
また、該合計量に対する（ａ）成分の重量比（（ａ）／［（ａ）＋（ｂ）＋（ｃ）］）は、０．５〜０．９９、好ましくは０．８〜０．９９、より好ましくは０．８６〜０．９９、特に好ましくは０．９〜０．９９である。また、該合計量に対する（ｂ）成分の重量比（（ｂ）／［（ａ）＋（ｂ）＋（ｃ）］）は、０．００５〜０．２５、好ましくは０．００５〜０．１、より好ましくは０．００５〜０．０７、特に好ましくは０．００５〜０．０５である。更に、該合計量に対する（ｃ）成分の重量比（（ｃ）／［（ａ）＋（ｂ）＋（ｃ）］）は、０．００５〜２５、好ましくは０．００５〜０．１、より好ましくは０．００５〜０．０７、特に好ましくは０．００５〜０．０５である。
【００１３】
また、（ａ）成分に対する（ｂ）成分の重量比は、好ましくは０．００１〜０．１、より好ましくは０．００５〜０．０５であり、（ａ）成分に対する（ｃ）成分の重量比は、好ましくは０．００１〜０．１５、より好ましくは０．００５〜０．１である。更に、洗浄力の向上の点で、（ａ）成分に対する（ｂ）成分と（ｃ）成分の合計量に対する重量比（［（ｂ）＋（ｃ）］／（ａ））は、好ましくは０．００１〜０．３、より好ましくは０．００５〜０．２、特に好ましくは０．０１〜０．１５である。
【００１４】
ところで、一般式（１）〜（３）で表される化合物は、例えばエピハロヒドリンやグリシドール等のエポキシ化合物をＢＦ3等の酸触媒を用いて反応させて製造する方法が一般的である。しかしながら、アルコールとエポキシ化合物の反応はエポキシ化合物の１位と２位にランダムに反応し、更に多付加体も生成する。このため、1位にアルコールが付加した一般式（１）の化合物と2位にアルコールが付加した一般式（２）の化合物、やグリセリル基が多数付加した一般式（３）の多量体の混合物となる為に、本発明における特定の配合量比を有する（ａ）〜（ｃ）の化合物を含む組成物を得ることは技術的にも経済的にも困難であった。
そこで、本出願人は、本発明における上記化合物を経済的且つ効率的に得る方法としては、例えば、国際公開９８／５０３８９号公報に記載の一般式（１０）で表されるアルミニウム触媒を使用する方法を見出した。
【００１５】
Ａｌ（ＯＳＯ2−Ｒ1）l（ＯＲ2）m（ＯＲ3）n        （１０）
（式中、Ｒ1は置換基を有していてもよい炭化水素基を示し、Ｒ2及びＲ3は同一又は異なって、置換基を有していてもよい炭化水素基を示す。ｌは１〜３、ｍ及びｎはそれぞれ０〜２の数であって、ｌ＋ｍ＋ｎ＝３である。）
【００１６】
ここで、Ｒ1は炭素数１〜５のアルキル基（好ましくはメチル基）、水酸基若しくは炭素数１〜５のアルキル基を有していてもよいアリール基（好ましくは４−トルイル基又は４−ヒドロキシフェニル基）が好ましい。またＲ2又はＲ3は炭素数１〜１０のアルキル基（例えばイソプロピル基、オクチル基）、フェニル基が好ましい。
【００１７】
また、上記触媒の製法としては、例えばトリアルキルアルミニウム、トリアルコキシアルミニウム又はトリハロゲン化アルミニウム等にスルホン酸類を反応させて、該アルミニウム化合物のアルキル基、アルコキシル基又はハロゲン基を該スルホン酸塩で一部又は全部置換した後、残りのアルキル基、アルコキシル基又はハロゲン基を更に適当なアルコール類又はフェノール類で置換することに製造することができる。このような置換反応は、炭化水素やアルコール等の溶媒中で加熱混合することにより行われる。
【００１８】
本発明で上記アルミニウム触媒を使用する場合は、エピハロヒドリンやグリシドール等のエポキシ化合物を炭素数１〜１６のアルコールに対して０．５〜１．５モル当量、好ましくは１．０〜１．２モル当量使用し、一般式（１０）のアルミニウム触媒を該アルコールに対して０．００１〜０．１モル当量、好ましくは０．０１〜０．０５モル当量用い、反応温度を１０〜１２０℃、好ましくは７０〜１１０℃で１〜５時間反応することが良好である。上記方法を用いることにより、（ａ）〜（ｃ）の化合物を目的の配合量比を容易に調製することができる。
【００１９】
（ｄ）界面活性剤
本発明における界面活性剤（ｄ）としては陰イオン性界面活性剤、非イオン性界面活性剤、陽イオン性界面活性剤、両性界面活性剤の１種以上を挙げることができる。特に、陰イオン性界面活性剤及び／又は非イオン性界面活性剤が好ましい。陰イオン性界面活性剤としてはアルキルベンゼンスルホン酸塩、アルキル又はアルケニルエーテル硫酸塩、アルキル又はアルケニル硫酸塩、オレフィンスルホン酸塩、アルカンスルホン酸塩、脂肪酸塩、アルキル又はアルケニルエーテルカルボン酸塩、α-スルホ脂肪酸塩若しくはこのエステル類を、非イオン性界面活性剤としてはポリオキシアルキレンアルキル又はアルケニルエーテル、アルキルポリグルコシド、グルコースアミド等を、陽イオン性界面活性剤としては4級アンモニウム塩等を、両性界面活性剤としてはアミンオキシド、スルホベタイン、カルボベタイン等を挙げることができる。
【００２０】
特に洗浄力の点で、下記（i）〜（iv）の界面活性剤が好ましい。
（i）炭素数１０〜１４のアルキル基を有する直鎖アルキルベンゼンスルホン酸塩。
（ii）炭素数８〜１８、好ましくは１０〜１６のアルキル基又はアルケニル基を有する、ＥＯ平均付加モル数１〜８、好ましくは１〜６のポリオキシエチレンアルキル又はアルケニルエーテル硫酸塩。
（iii）下記一般式（Ｖ）で表されるポリオキシアルキレン型非イオン性界面活性剤。
【００２１】
Ｒ4Ｘ−[（ＰＯ）ｍ（ＥＯ）ｎ−Ｈ]ｐ      （１１）
（式中、Ｒ4は炭素数８〜２０、好ましくは１０〜１８の炭化水素基を示し、Ｘは酸素原子又は窒素原子を示し、ＰＯはプロピレンオキシドを示し、ＥＯはエチレンオキシドを示す。ここで、ＥＯとＰＯの付加の順序は特に問わないが、ランダム付加体、又はブロック付加体である（特にブロック付加体が好ましい。）。また、。ｍ、ｎはそれぞれ独立に０〜２０の数であり、ｎ＋ｍ＝３〜２５、好ましくは５〜２０である。また、Ｘが酸素原子の場合はｐ＝１であり、Ｘが窒素原子の場合はｐ＝２である。）
【００２２】
（iv）炭素数８〜１６好ましくは８〜１４のアルキル基を有する、グルコースの平均重合度が１〜３、好ましくは１〜２のアルキルポリグルコシド
【００２３】
本発明における（ｄ）成分の含有量は、液体洗浄剤中に０．１〜５０重量％、好ましくは０．２〜４０重量％である。
本発明の液体洗浄剤では、（ａ）成分、（ｂ）成分及び（ｃ）成分の合計量に対する（ｄ）成分の重量比（（ｄ）／［（ａ）＋（ｂ）＋（ｃ）］）は、洗浄性能の向上の点で好ましくは１．２〜１０、より好ましくは１．５〜５である。
【００２４】
本発明の液体洗浄剤は、本発明の性能効果を損なわない範囲で、アルカリ剤、キレート剤、粘度調節剤、ハイドロトロープ剤等の各種成分を配合することができる。
アルカリ剤としては水酸化ナトリウム、水酸化カリウム、水酸化カルシウム等の水酸化物、炭酸ナトリウム、炭酸カリウム、セスキ炭酸ナトリウム等の炭酸塩、珪酸ナトリウム、珪酸カリウム等の珪酸塩、モノエタノールアミン、ジエタノールアミン、トリエタノールアミン、２−アミノ−２−メチル−１−プロパノール等のアルカノールアミン、モルホリン、アンモニア等を挙げることができる。特に洗浄力向上の点で、水酸化ナトリウム、水酸化カリウム、モノエタノールアミン、２−アミノ−２−メチル−１−プロパノール、モルホリン、アンモニアが好ましい。アルカリ剤の含有量は、液体洗浄剤中に好ましくは０〜２０重量％、より好ましくは０．１〜２０重量％である。
【００２５】
キレート剤としては、（ｉ）フィチン酸等のリン酸系化合物又はその塩、（ii）エタン−１，１−ジホスホン酸、エタン−１，１，２−トリホスホン酸、エタン−１−ヒドロキシ−１，１−ジホスホン酸、エタンヒドロキシ−１，１，２−トリホスホン酸、エタン−１，２−ジカルボキシ−１，２−ジホスホン酸、メタンヒドロキシホスホン酸等のホスホン酸又はその塩、（iii）２−ホスホノブタン−１，２−ジカルボン酸、１−ホスホノブタン−２，３，４−トリカルボン酸、α−メチルホスホノコハク酸等のホスホノカルボン酸又はその塩、（iv）アスパラギン酸、グルタミン酸、グリシン等のアミノ酸又はその塩、（v）ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラアミン六酢酸、ジエンコル酸等のアミノポリ酢酸又はその塩、（vi）ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキメチル酒石酸等の有機酸又はその塩、（vii）アミノポリ（メチレンホスホン酸）、ポリエチレンポリアミンポリ（メチレンホスホン酸）又はそれらの塩、（viii）アルキルグリシン−Ｎ，Ｎ−ジ酢酸、アスパラギン酸−Ｎ，Ｎ−ジ酢酸、セリン−Ｎ，Ｎ−ジ酢酸、グルタミン酸二酢酸、エチレンジアミンジコハク酸又はそれらの塩、（ix）ピロリン酸塩等の縮合リン酸塩等が挙げられる。これらの中で、上記（ii）、（v）、（vi）及び（viii）、特に（ii）、（v）及び（viii）が好ましい。キレート剤の含有量は、洗浄力向上の点で、液体洗浄中に好ましくは０〜３０重量％、より好ましくは０．０１〜１５重量％である。
【００２６】
ハイドロトロープ剤としては、ｐ−トルエンスルホン酸，メタキシレンスルホン酸，クエン酸、リンゴ酸、コハク酸等の有機酸の塩（アルカリ金属塩が好ましい。）を挙げることができる。ハイドロトロープ剤の含有量は、液体洗浄剤中に好ましくは０．１〜１０重量％、より好ましくは０．５〜８重量％である。
その他成分としては、エタノール、イソプロパノール等の低級アルコール、グリセリン、ソルビトール等の多価アルコール、塩化ナトリウム、塩化カリウム、塩化カルシウム等の塩化物、硫酸ナトリウム、硫酸カリウム、硫酸カルシウム等の硫酸化物、亜硫酸ナトリウム、亜硫酸カリウム等の亜硫酸化物、セルラーゼ、アミラーゼ、ペクチナーゼ、プロテアーゼ、リパーゼ等の酵素、香料、色素、防腐・防黴剤、増粘剤等を用いることができる。
【００２７】
本発明の液体洗浄剤は、例えば上述の（ａ）〜（ｄ）成分及び任意成分を水で希釈して用いることが好ましい。特にイオン交換水等の硬度成分や重金属等を取り除いたものが望ましい。水の含有量は液体洗浄剤中に好ましくは４０〜９９重量％、より好ましくは５０〜９５重量％である。
【００２８】
【実施例】
まず、（ａ）成分，（ｂ）成分及び（ｃ）成分の混合物を調製した。各成分の定量は、ガスクロマトグラフィーによる絶対検量法により行った。
＜調製例１＞  混合物Ａの調製
イソアミルアルコール１５８ｇ（１．７８ｍｏｌ）、アルミニウムトリイソプロポキシド３．６１ｇ（１７．７ｍｍｏｌ）及びｐ−フェノールスルホン酸９．４０ｇ（５．４ｍｏｌ）を１Ｌ反応槽に入れ、攪拌しながら９０℃迄昇温した。更に減圧下（２００ｍｍＨｇ）１時間攪拌後、１００℃迄昇温し、エピクロルヒドリン１７０ｇを３０分で滴下し、更に３時間攪拌した。この反応混合物を５０℃に保ち、４８％水酸化ナトリウム水溶液８００ｍｌを１時間かけて滴下し、更に３時間攪拌後、４００ｍｌの水を加え、分層させた。水層を除去した後、油層を５００ｍｌの水で２回洗浄し、粗反応物を２８０ｇ得た。
次に粗反応物１４０ｇ、水１４０ｇ、ラウリン酸７．６４ｇ及び水酸化カリウム２．１４ｇを２Ｌオートクレーブに入れ、攪拌しながら１５７℃迄昇温した。５時間攪拌後、室温迄冷却し、反応物を５００ｍｌの酢酸エチルで抽出し、更に３００ｍｌの水で２回洗浄し、酢酸エチルを減圧留去した後に、カラムクロマトに通した。得られた混合物は、ガスクロマトグラフィー分析の結果、（ａ）成分９５％、（ｂ）成分３％、及び（ｃ）成分２％の混合物であった。
【００２９】
＜調製例２＞  混合物Ｂの調製
調製例１においてイソアミルアルコールに代えて、ｎ−オクタノール１．７８ｍｏｌを用いた以外は同様の方法で製造した。得られた混合物は、ガスクロマトグラフィー分析の結果、（ａ）成分８８％、（ｂ）成分２％、及び（ｃ）成分１０２％の混合物であった。
＜調製例３＞  混合物Ｃの調製
調製例１においてイソアミルアルコールに代えて、ｎ−ドデシルアルコール１．７８ｍｏｌを用いた以外は同様の方法で製造した。得られた混合物は、ガスクロマトグラフィー分析の結果、（ａ）成分８５％、（ｂ）成分３％、及び（ｃ）成分１２％の混合物であった。
【００３０】
＜調製例４＞  混合物Ｄの調製
イソアミルアルコール１５８ｇ（１．７８ｍｏｌ）、ＢＦ3エチルエーテル錯体（東京化成）４．９ｇ（３４．９ｍｍｏｌ）を１Ｌ反応槽に入れ、攪拌しながらエピクロルヒドリン１７０ｇを３０分で滴下し、更に３時間攪拌した。この反応混合物を５０℃に保ち、４８％水酸化ナトリウム水溶液８００ｍｌを１時間かけて滴下し、更に３時間攪拌後、４００ｍｌの水を加え、分層させた。水層を除去した後、油層を５００ｍｌの水で２回洗浄し、粗反応物を２７２ｇ得た。
次に粗反応物１４０ｇ、水１４０ｇ、ラウリン酸７．６４ｇ及び水酸化カリウム２．１４ｇを２Ｌオートクレーブに入れ、攪拌しながら１５７℃迄昇温した。５時間攪拌後、室温迄冷却し、反応物を５００ｍｌの酢酸エチルで抽出し、更に３００ｍｌの水で２回洗浄し、酢酸エチルを減圧留去した後に、カラムクロマトに通した。得られた混合物は、ガスクロマトグラフィー分析の結果、（ａ）成分６１％、（ｂ）成分５％、及び（ｃ）成分３４％の混合物であった。
【００３１】
＜調製例５＞  混合物Ｅの調製
イソアミルアルコール１５８ｇ（１．７８ｍｏｌ）、硫酸３．４ｇ（３４．９ｍｍｏｌ）を１Ｌ反応槽に入れ、攪拌しながらエピクロルヒドリン１７０ｇを３０分で滴下し、更に３時間攪拌した。この反応混合物を５０℃に保ち、４８％水酸化ナトリウム水溶液８００ｍｌを１時間で滴下し、更に３時間攪拌後、４００ｍｌの水を加え、分層させた。水層を除去した後、油層を５００ｍｌの水で２回洗浄し、粗反応物を３２０ｇ得た。
次に粗反応物１４０ｇ、水１４０ｇ、ラウリン酸７．６４ｇ及び水酸化カリウム２．１４ｇを２Ｌオートクレーブに入れ、攪拌しながら１５７℃迄昇温した。５時間攪拌後、室温迄冷却し、反応物を５００ｍｌの酢酸エチルで抽出し、更に３００ｍｌの水で２回洗浄し、酢酸エチルを減圧留去した後に、カラムクロマトに通した。得られた混合物は、ガスクロマトグラフィー分析の結果、（ａ）成分４８％、（ｂ）成分２７％、及び（ｃ）成分２５％の混合物であった。
【００３２】
＜実施例１＞  衣料用液体洗浄剤
表１に記載の配合成分を用いて衣料用液体洗浄剤を調製した。次いで、下記に示す脱脂率を測定して洗浄力を指標とした。また、液体洗浄剤の匂いを下記の方法で評価した。その結果を表１に示す。
・人工汚染布の調製について
トリオレイン２００ｇを８０Ｌのパークレンに溶解し、金巾＃２００３布を浸漬して付着させた後、パークレンを乾燥除去し人工汚染布とした。
・脱脂力評価法について
５×５ｃｍに裁断した上記人工汚染布１枚当たり、０．２ｇの組成物を２×２ｃｍの面積に塗布し、５枚１組をターゴトメータで洗浄した（水温２０℃、硬度４°ＤＨ、洗浄時間１０分、１００ｒｐｍ、５分間水道水で流水すすぎ）。
洗浄後、組成物を塗布した部分を正確に切り取り、５枚１組をクロロホルムを溶媒としてソックスレー抽出を１２時間行った。また、未洗浄の人工汚染布についても同様の操作で抽出した。次いで、抽出液のクロロホルムをエバポレータで減圧留去し、得られた抽出トリオレインの量を求め、次式により脱脂率を求めた。
【００３３】
【数１】
0003759345.tif 000008
【００３４】
・匂い評価について
液体洗浄剤を広口規格びん（ＰＳ  Ｎｏ．１１）に５０ｍｌ入れ、蓋をして２０℃の恒温室に２時間貯蔵した。その後、１０人のパネラー（３０才代男性５人、２０才代女性５人）により匂い評価を行い、下記の基準で判定し、平均を求めた。
１：ほとんど異臭がない、  ２：異臭があるが気にならない程度
３：異臭がする、          ４：異臭が強くする
【００３５】
【表１】
0003759345.tif 000009
【００３６】
（注釈）
・活性剤Ａ：炭素数１０〜１４の１級アルコールにＥＯ５モル、ＰＯ２モル、ＥＯ３モルをブロック状に付加させたもの
・活性剤Ｂ：炭素数１２のアルキル基を有するアルキルポリグルコシド（平均重合度１．５）
・活性剤Ｃ：炭素数１６，１８（含有比３：７）のアルキル基を有するモノアルキルトリメチルアンモニウムクロリド
・活性剤Ｄ：オクチルジメチルベンジルアンモニウムクロリド
・活性剤Ｅ：ポリオキシエチレン（ＰＯ２．５モル）ラウリルエーテル硫酸ナトリウム
・重合体：マレイン酸／ジイソブテン共重合体（モル比１／１）、分子量１万
＊：水は、洗浄剤全体が１００重量％になる量とする。
＊＊：ｐＨはN/10NaOH水溶液及びN/10H2SO4水溶液により調製する。
【００３７】
＜実施例２＞  硬質表面用液体洗浄剤１
表２に記載の配合成分を用いて硬質表面用液体洗浄剤１を調製した。次いで、これらを下記に示す油汚れ洗浄性及び上記の匂い評価を行った。その結果を表２に示す。
・油汚れ洗浄性の評価法について
食用油（日清製油社、日清コーン油）１０ｇを鉄板に均一に塗布し、１８０℃の温度で３０分間焼き付けた後、更に室温で３ヶ月間放置し、モデル汚染板とした。液体洗浄剤０．５ｍｌを水平に固定したモデル汚染板に滴下し、１分間放置した。その後浮き上がった汚れを脱脂綿で軽く除去した。この操作を２０回行い、それぞれ洗浄の程度を下記の基準で目視で判定し、平均を求めた。
１：ほぼ完全に汚れが落ちている、   ２：２〜３割程度汚れが残っている
３：５〜７割程度汚れが残っている、 ４：全く汚れが落ちていない
【００３８】
【表２】
0003759345.tif 000010
【００３９】
（注釈）
・活性剤Ｆ：ラウリルジメチルアミンオキシド
・活性剤Ｇ：ラウリルアミンにＥＯを５モル付加させたもの
（尚、実施例１と同一の成分については注釈を省略する。）
【００４０】
＜実施例３＞  硬質表面用液体洗浄剤２
表３に記載の配合成分を用いて硬質表面用液体洗浄剤２を調製した。次いで、これらを下記に示す石鹸かす汚れ洗浄性及び上記の匂いの評価を行った。その結果を表３に示す。
・石鹸かす汚れ洗浄性の評価法について
３ヶ月間実際に使用して石鹸かすが固着している洗面器（ポリプロピレン製）を、液体洗浄剤０．５ｇ、水２０ｇを含ませたポリウレタン製のスポンジで、約５００ｇの荷重をかけて５往復こすった。この操作を２０回行い、それぞれの洗浄の程度を目視により以下の基準で判定し、２０回の平均を求めた。
１：ほぼ完全に汚れが落ちている、   ２：２〜３割程度汚れが残っている
３：５〜７割程度汚れが残っている、 ４：全く汚れが落ちていない
【００４１】
【表３】
0003759345.tif 000011
【００４２】
（注釈）
・活性剤Ｈ：炭素数１０のアルキル基を有するモノアルキルトリメチルアンモニウムクロリド
（尚、実施例１と同一の成分については注釈を省略する。）
【００４３】
【発明の効果】
本発明の液体洗浄剤は、衿・袖口汚れ等の頑固な皮脂汚れや、台所回りの変性油汚れ等に対する洗浄力に優れると共に、溶剤成分に由来する匂いも無く取扱い性にも優れる。特に、塗布洗浄に用いられる場合、優れた洗浄性能を示す。